(57)【要約】【課題】  製造工程においてより簡単な工程及びより低いコストを図る新型組立部材を有する電気接続装置を提供する。【解決手段】  電気接続装置１００は、中空室１１２及び中空室１１２に連通する開口部１１４を有するシールド部材１１０と、中心台部１２２および舌部１２４を有するメイン台座１２０と、メイン台座１２０の上表面にインサート成形される複数の第一圧し折り端子１３０と、メイン台座１２０に埋め込まれ貫通スロット１２２ａに設置される複数の第二圧し折り端子１４０と、メイン台座１２０に埋め込まれ貫通スロット１２２ａに設置される複数の第二圧し折り端子１４０と、凹み部１２２ｃにおいて舌部１２４に近い位置に設置されるサブ台座１５０と、サブ台座１５０に固定される複数の自由端子１６０と、を備える。【選択図】  図３
0003198025.tif 000002
【実用新案登録請求の範囲】
【請求項１】
中空室及び前記中空室と連通する開口部を有するシールド部材と、
前記シールド部材の前記中空室に挿入されており、挿入方向である軸方向に沿って延伸する複数の貫通スロット及び底面から凹む凹み部を有する中心台部、ならびに、前記中心台部から突出し軸方向に沿って延伸しており前記中心台部より前記開口部に近い舌部、を有するメイン台座と、
前記メイン台座の上表面にインサート成形されている複数の第一圧し折り端子と、
前記メイン台座に埋め込まれており、前記貫通スロットに設置されている複数の第二圧し折り端子と、
前記凹み部において前記舌部に近い位置に設置されているサブ台座と、
前記サブ台座に固定されている複数の自由端子と、
前記第一圧し折り端子、前記第二圧し折り端子及び前記自由端子はそれぞれ異なる平面に位置していることを特徴とする電気接続装置。
【請求項２】
前記メイン台座の上表面及び前記シールド部材に囲まれている空間を第一空間とし、前記第一空間が前記開口部と連通しており、
前記舌部の底面、前記サブ台座及び前記シールド部材に囲まれている空間を第二空間とし、前記第二空間が前記開口部と連通しており、
前記シールド部材は二つの第一係止ユニットを有し、
前記舌部は二つの第一係止ユニットに対応する二つの第二係止ユニットを有し、
前記第一圧し折り端子は数が四つであり、
前記第二圧し折り端子は数が五つであり、
前記第一圧し折り端子及び前記第二圧し折り端子はＵＳＢ３．０信号の伝送に使用されていることを特徴とする請求項１に記載する電気接続装置。
【請求項３】
前記第一圧し折り端子は前記開口部の近傍に位置する第一接触部を有し、
前記第二圧し折り端子は前記開口部の近傍に位置する第二接触部を有し、
前記自由端子は第三接触部を有し、
前記第一接触部および前記第二接触部は前記第一空間に位置し、前記第三接触部は前記第二空間に位置することを特徴とする請求項２に記載する電気接続装置。
【請求項４】
回路基板をさらに備え、
前記第一圧し折り端子は前記開口部から離れて位置する第一連接部を有し、
前記第二圧し折り端子は前記開口部から離れて位置する第二連接部を有し、
前記自由端子は前記開口部から離れて位置する第三連接部を有し、
前記第一連接部及び第二連接部は前記回路基板に延びており、
前記第三連接部は、前記回路基板と電気的接続可能に前記回路基板を通過し、延伸方向が前記軸方向に垂直であり、直線に沿って排列されており、
前記第一圧し折り端子は、前記第一接触部と前記第一連接部との間に位置する第一中間部を有し、
前記第二圧し折り端子は、前記第二接触部と前記第二連接部との間に位置する第二中間部を有し、
前記自由端子は、前記第三接触部と前記第三連接部との間に位置する第三中間部を有し、
前記第一中間部、前記第二中間部及び前記第三中間部は前記軸方向に延びており、異なる平面に位置することを特徴とする請求項３に記載の電気接続装置。
【請求項５】
対接コネクタに挿入可能であり、記憶媒体を挿入するのに用いられ、
前記対接コネクタは、前記第二空間に挿入されることで、前記第一接触部および前記第二接触部と接続し、
前記記憶媒体は、前記第二空間に挿入されることで、前記第三接触部と接続し、
前記舌部は、前記軸方向に垂直である複数の貫通孔を有し、
前記第二圧し折り端子の前記第二接触部は、それぞれ前記貫通孔の上に位置し、かつ前記貫通孔に伸ばされることに適し、
前記貫通孔は、前記第二接触部のサイズより大きいサイズを有することを特徴とする請求項３に記載の電気接続装置。
【考案の詳細な説明】
【技術分野】
【０００１】
本考案は、電気接続装置に関するものであり、特に新型組立部材を有する電気接続装置に関するものである。
【背景技術】
【０００２】
図１は従来の電気接続装置の分解図である。特許文献１はカードリーダーを有するＵＳＢポートの組立構造（図１を参照）を開示しており、組立構造は、第一表面１１及び第二表面１２を有する絶縁基板１０と、第一絶縁ブロック３２と、第一型の端子セット２０と、第二絶縁ブロック４０と、第三絶縁ブロック５１と、第三型の端子セット５０と、金属ハウシング７０と、を備え、第一表面１１には複数の端子が設置できる第一型の設置スロット１３及び第二型の設置スロット１４を有し、また絶縁基板１０の後部の後側には第一凹部１５及び第二凹部１６が設置される。第一絶縁ブロック３２は絶縁基板１０の第一表面１１に設置され、底面と反対側の第一型の設置スロット１３の方向には複数の案内スロット３３が設置され、上面には複数の第一組込スロット３４が設置されて、かつ両側には絶縁基板１０の第一凹部１５と対応する位置に第一固定スロット３５が設置される。第一型の端子セット２０は軸方向に第一組込スロット３４が貫通するように延伸して、端子の両側に設置される突起２２は第一組込スロット３４に引っ掛けて固定させることができ、かつ末端が伸ばされ第一装着ピン２１を形成することにより第一連接ユニット６０ａを構成させる。第二絶縁ブロック４０が基板１０の第一表面１１に設置され、かつ第一絶縁ブロック３２より前面の位置にされ、底面に複数の第二組込スロット４１が設置されて、かつ両側は絶縁基板１０の第二凹部１６に対応する位置に第二固定スロット４２が設置される。第三絶縁ブロック５１が絶縁基板１０の第二表面１２に設置され、底面の周縁には複数の第三組込スロット５２が設置され、両側が第一凹部１５や第二凹部１６に対応する箇所には上方に延ばした第一フック５３ａ及び第二フック５３ｂが設置されて、それを絶縁基板１０の底面から上を目掛けて、第一絶縁ブロック３２や第二絶縁ブロック４０に対応する第一固定スロット３５や第二固定スロット４２に引っ掛けることにより、絶縁基板１０と第一絶縁ブロック３２と第二絶縁ブロック４０と第三絶縁ブロック５１とを互いに連接させてマルチ連接モジュール６０を形成させる。第三型の端子セット５０の先端部は両側に設置された突起で第三絶縁ブロック５１の第三組込スロット５２に引っ掛かかるよう設置されて、後端部が第三絶縁ブロック５１を通過して第三装着ピン５６を形成させることにより、第三連接ユニット６０ｃを構成させる。金属ハウシング７０がユニバーサル協定ＵＳＢ-Ａ-Ｔｙｐｅの規格に合致するように金属で成形され、マルチ連接モジュール６０の外周縁にコーティングさせ、そのケースの上下端がそれぞれ第一壁７１及び第二壁７２を備え、第一壁７１の先端と絶縁基板１０の第一表面１１との間にＵＳＢ２．０またはＵＳＢ３．０のメスコネクタと連接できる第一スロットが形成される。第二壁７２と絶縁基板１０の第二表面１２との間にＭｉｃｒｏ ＳＤ（登録商標）／Ｔ−Ｆｌａｓｈ薄型メモリーカードを挿入できる第二スロットが形成され、且つ第三型の端子セットの先端部が第二スロット内に突設されることにより第二スロットにＭｉｃｒｏ ＳＤ／Ｔ−Ｆｌａｓｈ薄型カードリーダーを形成される。これにより、本考案が提供したＵＳＢ規格は、絶縁基板１０を二つ��三つの形態が異なる絶縁ブロック３２、４０、５１と組み合わさって、お互いに引っ掛け合うことにより一つのモジュールを構成し、かつ各絶縁ブロックがそれぞれのスロットを利用することにより、需要に応じて予め設定した形の端子セットが選択され、意図する機能を達成されることができる。
【０００３】
しかし、このような設計は理想的ではない。製造工程が複雑の上、材料や金型のコストも高い故に市場に進出するときは、コストの問題だけでなく技術も追いつかない。故に、これらの利点を持ち、さらに市場の試練に耐えられる商品が必要である。
【先行技術文献】
【特許文献】
【０００４】
【特許文献１】台湾実用新案第Ｍ４０７４６６号明細書
【考案の概要】
【考案が解決しようとする課題】
【０００５】
本考案は、より簡単な製造工程及びより低いコストを備える電気接続装置を提供する。
【課題を解決するための手段】
【０００６】
本考案の電気接続装置は、シールド部材、メイン台座、複数の第一圧し折り端子、複数の第二圧し折り端子、サブ台座及び複数の自由端子を備える。シールド部材は中空室及び中空室に連通する開口部を有する。メイン台座は、シールド部材の中空室に挿入されており、中空室に取り付けられて、かつ中心台部及び舌部を有する。舌部は中心台部から突出し、前記挿入方向である軸方向に沿って延伸される。舌部は中心台部より開口部に近い。そして中心台部は軸方向に沿って延伸する複数の貫通スロット及び中心台部の底面に凹む凹み部を有する。第一圧し折り端子はメイン台座の上表面にインサート成形される。第二圧し折り端子はメイン台座に埋め込まれ、かつ貫通スロットに設置される。サブ台座は凹み部において舌部に近い位置に設置される。自由端子はサブ台座に固定される。第一、第二圧し折り端子及び自由端子はそれぞれ異なる平面に位置される。
【０００７】
本考案では、メイン台座の上表面及びシールド部材に囲まれている空間を第一空間とし、第一空間が前記開口部と連通している。
舌部の底面、サブ台座及びシールド部材に囲まれている空間を第二空間とし、第二空間が開口部と連通している。
【０００８】
本考案では、第一圧し折り端子は開口部の近傍に位置する第一接触部を有する。第二圧し折り端子は開口部の近傍に位置する第二接触部を有する。自由端子は第三接触部を有する。第一接触部および第二接触部は第一空間に位置し、第三接触部は前記第二空間に位置する。
【０００９】
本考案では、対接コネクタは、第二空間に挿入されることで、第一接触部、第二接触部と接続する。記憶媒体は、第二空間に挿入されることで、第三接触部と接続する。
【００１０】
本考案では、回路基板をさらに備える。第一圧し折り端子は開口部から離れて位置する第一連接部を有する。第二圧し折り端子は開口部から離れて位置する第二連接部を有する。自由端子は開口部から離れて位置する第三連接部を有する。第一連接部及び第二連接部は回路基板に延びている。第三連接部は、回路基板と電気的接続可能に回路基板を通過する。
【００１１】
本考案では、第三連接部は、延伸する方向が軸方向に垂直であり、かつ直線に沿って排列されている。
【００１２】
本考案では、それぞれの第一圧し折り端子は第一接触部と第一連接部との間に位置する第一中間部を有する。それぞれの第二圧し折り端子は第二接触部と第二連接部との間に位置する第二中間部を有する。それぞれの自由端子は第三接触部と第三連接部との間に位置する第三中間部を有する。第一中間部、第二中間部及び第三中間部は軸方向に延びており、異なる平面に位置する。
【００１３】
本考案では、舌部は軸方向に垂直である複数の貫通孔を有する。第二圧し折り端子の第二接触部は、それぞれ貫通孔の上に位置し、かつ貫通孔に伸ばされることに適する。それぞれの貫通孔は、それぞれの第二接触部のサイズより大きいサイズを有する。
【００１４】
本考案では、前述のシールド部材が二つの第一係止ユニットを有し、かつ舌部は二つの第一係止ユニットに対応する二つの第二係止ユニットを有する。
【００１５】
本考案では、第一圧し折り端子の数が四つであり、第二圧し折り端子の数が五つであり、かつ第一圧し折り端子及び第二圧し折り端子がＵＳＢ３．０信号の伝送に使用される。
【００１６】
前述の構成に基いて、本考案の電気接続装置における第一圧し折り端子と第二圧し折り端子はインサート成形によりメイン台座に成形し、かつ自由端子はサブ台座に固接されて、製造工程としてはより簡単な工程及びより低いコストの利点を有する。なお、本考案の電気接続装置の第一圧し折り端子、第二圧し折り端子及び自由端子はそれぞれ異なる平面に位置されることにより、互いに信号干渉を減少することができる。
【図面の簡単な説明】
【００１７】
【図１】従来の電気接続装置を示す分解図である。
【図２】本考案の第一実施形態による電気接続装置に記憶媒体が挿入される状態を示す斜視図である。
【図３】本考案の第一実施形態による電気接続装置を示す分解図である。
【図４】本考案の第一実施形態による電気接続装置からシールド部材と記憶媒体が取除かれた状態を示す斜視図である。
【図５】本考案の第一実施形態による電気接続装置からシールド部材と記憶媒体が取除かれた状態を示す仰視図である。
【図６】本考案の第一実施形態による電気接続装置からシールド部材と記憶媒体が取除かれた状態を示す俯瞰図である。
【図７】図６のＡ-Ａ線断面図である。
【図８】本考案の第二実施形態による電気接続装置を示す分解図である。
【図９】本考案の第二実施形態による電気接続装置から電気接続装置のシールド部材が取除かれた状態を示す斜視図。
【図１０】本考案の第二実施形態による電気接続装置の第一圧し折り端子、第二圧し折り端子、サブ台座及び自由端子を示す斜視図である。
【図１１】本考案の第二実施形態による電気接続装置の側面図である。
【図１２】本考案の第一実施形態の変形例による電気接続装置を示す分解図である。
【図１３】本考案の第三実施形態による電気接続装置からシールド部材と記憶媒体が取除かれた状態を示す斜視図である。
【図１４】考案の第一実施形態の変形例による電気接続装置からシールド部材と記憶媒体が取除かれた状態を示す斜視図である。
【図１５】考案の第一実施形態の変形例による電気接続装置からシールド部材と記憶媒体が取除かれた状態を示す平面図である。
【図１６】図１５のＡ-Ａ線断面図である。
【図１７】本考案の第一実施形態の変形例による電気接続装置の第一圧し折り端子、第二圧し折り端子、サブ台座及び自由端子を示す斜視図である。
【図１８】本考案の第一実施形態の変形例による電気接続装置からシールド部材と記憶媒体が取除かれた状態を示す背面図である。
【考案を実施するための形態】
【００１８】
（第一実施形態）
図２は本考案の第一実施形態による電気接続装置に記憶媒体が挿入される状態を示す斜視図である。図３は図２に示す電気接続装置の分解図である。図４は図２に示す電気接続装置からシールド部材と記憶媒体が取除かれた状態を示す斜視図である。図５は図４に示す電気接続装置の斜視図である。図１２は図２に示す電気接続装置の変形例を示す分解図である。図１３は図２に示す電気接続装置の変形例からシールド部材と記憶媒体が取除かれた状態を示す斜視図である。図１４は図１３に示す電気接続装置の仰視図である。
【００１９】
図２〜図５に示すように、本実施形態の電気接続装置１００はシールド部材１１０、メイン台座１２０、複数の第一圧し折り端子１３０、複数の第二圧し折り端子１４０、サブ台座１５０及び複数の自由端子１６０を備える。  
【００２０】
以下の「圧し折り端子」１３０、１４０、「自由端子」１６０とは本考案の概念の本質を充分に理解するために定義した名詞である。「圧し折り端子」１３０、１４０は、舌部１２４に電気的連接を行うことに制限される。これは端子の設計における応用できるスペースを大幅に制限する（図７参照）。そして「自由端子」１６０は凹み部１２２ｃに位置して、より余裕のある応用スベースを確保することにより端子の設計の自由度を向上させる（図４参照）。この定義は本考案の概念の最も適切な理解であり、簡単な文脈の置き換えによって本考案の実質概念を回避してはならない。
【００２１】
シールド部材は中空室１１２及び中空室１１２に連通される開口部１１４を有する。本実施形態では、シールド部材１１０は金属製の殻であり、電磁遮蔽の効果を提供することができる。メイン台座１２０は中空室１１２に設置されて、中心台部１２２、及び中心台部１２２から延ばされて軸方向Ａに沿って延伸する舌部１２４を有する。軸方向Ａはメイン台座１２０を中空室１１２に挿入する方向と一致する。舌部１２４は中心台部１２２より開口部１１４に近く、そして中心台部１２２は軸方向に沿って延伸する複数の貫通スロット１２２ａ及び中心台部１２２の底面１２２ｂが凹む凹み部１２２ｃを有する。本実施形態では、メイン台座１２０の材料は絶縁物だが、例えば膠芯など樹脂や高分子材料が、絶縁することができるならばメイン台座１２０の材料はこれに限らない。
【００２２】
第一圧し折り端子１３０はメイン台座１２０の上表面１２０ａにインサート成形される。詳しく言うと、中心台部１２２の上面及び舌部１２４の上面は複数の溝１２６を有し、第一圧し折り端子１３０は溝１２６の中で成形される。第二圧し折り端子１４０はメイン台座１２０にインサート成形され、かつ貫通スロット１２２ａの中に設置される。実際に製造する場合、第一圧し折り端子１３０と第二圧し折り端子は先に金型の特定な位置に挟まれる状態で、インサート成形により金型の中にメイン台座１２０を成形させ、これにより第一圧し折り端子１３０及び第二圧し折り端子１４０をメイン台座１２０に固定させることができる。図３において貫通スロット１２２ａは第二圧し折り端子１４０の一端を囲むように設置される。図１２において、貫通スロット１２２ａは開放空間であっても良い。これにより第二圧し折り端子１４０以外の端子もこの空間に設置されることができ、信号を転送する時に絶縁材料による誘電率の影響が受け難くなる。
【００２３】
本実施形態では、第一圧し折り端子１３０の数は四つ、第二圧し折り端子１４０の数は五つ、かつ第一圧し折り端子１３０と第二圧し折り端子１４０はＵＳＢ３．０信号の伝送に使用される。言い換えると、本実施形態の電気接続装置１００はＵＳＢ３．０の電気接続装置である。しかしながら別の実施形態では、第一圧し折り端子１３０及び第二圧し折り端子１４０の数に限らない。電気接続装置１００の種類もＵＳＢ３．０の電気接続装置に限らない。
【００２４】
サブ台座１５０は凹み部１２２ｃに配置される。本実施形態において、サブ台座１５０のサイズは凹み部１２２ｃより僅かに小さい、即ち、サブ台座１５０が凹み部１２２ｃに配置される時、凹み部１２２ｃの空間を完全に埋めることはない。なお、本実施形態において、サブ台座１５０は凹み部１２２ｃにおける舌部１２４に近い位置に配置されるが、凹み部１２２ｃの中にあるサブ台座１５０の相対位置はそれに限らず、他の実施形態において、サブ台座１５０は凹み部１２２ｃにおける舌部１２４から離れた位置に配置されても良い。
【００２５】
自由端子１６０はサブ台座１５０に固定される。本実施形態において、自由端子１６０はインサート成形によりサブ台座１５０に成形されても良い。あるいは、別々に自由端子１６０及びサブ台座１５０を製造した後、それらを組み合せることによりサブ台座１５０に固定させる。もちろん、自由端子１６０の成形方法及びサブ台座との連接方法はそれに限らない。
【００２６】
図２〜図４が示すように、本実施形態において、開口部１１４に連通する第一空間Ｓ１はメイン台座１２０の上表面１２０ａとシールド部材１１０に囲まれて、かつ開口部に連通する第二空間Ｓ２は舌部１２４の下表面１２４ａ、サブ台座１５０及びシールド部材とに囲まれる。それぞれの第一圧し折り端子１３０、第二圧し折り端子１４０及び自由端子１６０はそれぞれ開口部１１４に近い第一接触部１３２、第二接触部１４２及び第三接触部１６２を有する。第一接触部１３２及び第二接触部１４２は第一空間Ｓ１に位置され、第三接触部１６２は第二空間Ｓ２に位置される。
【００２７】
対接電コネクタ（図示しない）を第一空間Ｓ１に伸ばすのに適したものにすることにより、第一接触部１３２及び第二接触部１４２と連接させ、かつ記憶媒体８０を第二空間Ｓ２に挿入するのに適したものにすることにより第三接触部１６２と連接させる。即ち、本実施形態の電気接続装置１００はカードリーダーとして機能させることができる。記憶媒体８０、例えばメモリーカードは電気接続装置１００の第二空間Ｓ２に挿入されることにより第三接触部１６２と接触して、電気接続装置１００と電気的に接続する。なお、本実施形態の電気接続装置１００は記憶媒体８０とともに対接電気接続装置（例えば電子装置のＵＳＢメスコネクタ）に挿入し、電気接続装置１００を電子装置と電気的に接続させる。電子装置はさらに電気接続装置１００に介して記憶媒体８０にアクセスすることができる。特に、本実施形態では、自由端子１６０の数は八つであり、ＳＤメモリーカードに連接させることができる、他の実施形態では、電気接続装置１００は他の種類の記憶媒体８０に応じ自由端子１６０の数を調整し、電気接続装置１００の自由端子１６０の数及び挿入できる記憶媒体８０の種類はこれに限らない。
【００２８】
なお、図４が示すように、本実施形態では、舌部１２４は軸方向Ａに垂直する複数の貫通孔１２４ｂを有し、かつそれぞれの貫通孔１２４ｂのサイズはそれぞれの第二接触部１４２のサイズより大きい。第二圧し折り端子１４０の第二接触部１４２はそれぞれ貫通孔１２４ｂの上に位置して、かつ貫通孔を通過するのに適したものにする。即ち、対接電コネクタの端子が第二圧し折り端子１４０の第二接触部１４２と接触するとき、第二接触部１４２は下へ押されて貫通孔１２４ｂに進入し、舌部１２４の上に配置された貫通孔１２４ｂは第二接触部１４２により大きい屈曲空間を与えることができる。図１２が示すような貫通スロット１２２ａが開放空間である実施形態では、貫通孔１２４ｂは貫通スロット１２２ａと同時に成形することができる。
【００２９】
なお、図２と図４が示すように、シールド部材１１０は二つの第一係止ユニット１１６を有し、かつ舌部１２４は二つの第一係止ユニット１１６に対応する二つの第二係止ユニット１２４ｃを有する。本実施形態では、第一係止ユニット１１６は穴であり、第二係止ユニット１２４ｃは係止具である。舌部の二つの第二係止ユニット１２４ｃをシールド部材１１０両側に位置する二つの第一係止ユニット１１６と係止することにより、メイン台座１２０をシールド部材１１０中の中空室１１２に固定する。
【００３０】
図６は図４に示す電気接続装置の平面図である。図７は図６に示す電気接続装置のＡ-Ａ線断面図である。図１５は図１３に示す電気接続装置の平面図である。図１６は図１５に示す電気接続装置のＡ-Ａ線断面図である。図６、図７、図１５及び図１６に示すように、それぞれの第一圧し折り端子１３０は開口部１１４から離れた第一連接部１３４及び第一接触部１３２と第一連接部１３４の間に位置される第一中間部１３６を有する。それぞれの第二圧し折り端子１４０は開口部１１４から離れた第二連接部１４４及び第二接触部１４２と第二連接部１４４との間に位置される第二中間部１４６を有する。それぞれの自由端子１６０は開口部１１４から離れた第三接触部１６２及び第三連接部１６４及び第三接触部１６２と第三連接部１６４との間に位置される第三中間部１６６を有する。図７が示すように、第一圧し折り端子１３０の第一中間部１３６、第二圧し折り端子１４０の第二中間部１４６及び自由端子１６０の第三中間部１６６は各々軸方向Ａに伸ばされて、かつ本実施形態の電気接続装置１００は回路基板１７０をさらに備える。第一連接部１３４及び第二連接部１４４は各々回路基板１７０に伸ばされて、かつ第三接触部１６４は回路基板１７０を挿入して 、回路基板１７０と電気的に接続する。なお、図５が示すように、本実施形態では、自由端子１６０の第三連接部１６６の延伸方向は軸方向Ａに垂直で、かつ同じ直線上に排列する。
【００３１】
本実施形態では、第一圧し折り端子１３０、第二圧し折り端子１４０及び自由端子１６０はそれぞれ異なる平面に位置される。より正確には、第一圧し折り端子１３０の第一中間部１３６、第二圧し折り端子１４０の第二中間部１４６及び自由端子１６０の第三中間部１６６はそれぞれ異なる平面に位置される。言い換えると、第一中間部１３６、第二中間部１４６及び第三中間部１６６は異なる高度に位置され、このような配置により第一圧し折り端子１３０、第二圧し折り端子１４０及び自由端子１６０の互いに対する信号干渉を減少することができる。
【００３２】
以上は電気接続装置の構造の一種を概念的に開示するものであって、本考案の電気接続装置の構造は前述の構造に限らない。以下はもう一種電気接続装置を提供する。
【００３３】
（第二実施形態）
図８は本考案の第二実施形態による電気接続装置の分解図である。図９は図８に示す電気接続装置からシールド部材が取除かれた状態を示す斜視図。図１０は図８に示す電気接続装置の第一圧し折り端子、第二圧し折り端子、サブ台座及び自由端子を示す斜視図である。図１１は図１０に示す電気接続装置の側面図である。図１７は図１２に示す電気接続装置の第一圧し折り端子、第二圧し折り端子、サブ台座及び自由端子を示す斜視図である。
【００３４】
図８から図１１まで及び図１７に示すように、本実施形態の電気接続装置２００と実施形態の電気接続装置１００の主な相違点は、本実施形態において、電気接続装置２００は連接板２８０を更に有する。第一圧し折り端子２３０の第一連接部２３４と第二圧し折り端子２４０の第二連接部２４４はこの連接板２８０に連接され、連接板２８０の役割は端子を固定することと、製造工程完了後除去することである。もう一つの主な相違点はサブ台座２５０の形であり、かつ本実施形態において、メイン台座２２０がサブ台座２５０と対応するところには係止部２２８を有し、係止部２２８はサブ台座２５０をメイン台座２２０に対して開口部２１４から離れる方向に移動できないように位置を制限する。図１４ではサブ台座１５０の係止具のもう一つ実施形態を示す。なお、一つ前の実施形態では、図７が示すように、第一圧し折り端子１３０はメイン台座１２０の上表面１２０ａに位置して、かつ第一圧し折り端子１３０の第一中間部１３６の高さは第二圧し折り端子の第二中間部の高さより高い。相対的に、本実施形態では、図９が示すように、第一圧し折り端子２３０はメイン台座２２０の中心台部２２２を貫通し、かつ図１１が示すように、第二圧し折り端子２４０の第二中間部２４６の高さは第一圧し折り端子２３０の第一中間部２３６の高さより高く、図１７もこのような設計を採用した。
【００３５】
以上二つの実施形態の電気コネクトが前述の相違点を存在しているが、これら二つの電気接続装置１００、２００の第一圧し折り端子１３０、１３０及び第二圧し折り端子１４０、２４０はインサート成形によりメイン台座１２０やメイン台座２２０に成形されて、かつ自由端子１６０、２６０はサブ台座１５０やサブ台座２５０に固接されて、製造工程としてより簡単な工程でより低いコストパフォーマンスが可能である。なお、以上二つの実施形態の電気接続装置の第一圧し折り端子１３０、２３０、第二圧し折り端子１４０、２４０及び自由端子１６０、２６０はそれぞれ異なる平面に位置されることにより、互いに対する信号干渉を減少することができる。
【００３６】
図１８は図１３に示す電気接続装置の背面図である。この図によりメイン台座１２０は第一中間部１３６が設置されて、下に第一連接部１３４が伸ばされる、二つの第一連接部１３４の間に第二中間部１４６が設置されて、下に第二連接部１４４が伸ばされる。サブ台座１５０は第三中間部１６６が設置されて、下に第三連接部１６４が伸ばされる。第三連接部１６４はデュアルインラインパッケージ方式（ＤＩＰ）であり、第一連接部１３４と第二連接部１４４は表面実装技術方式（ＳＭＴ）である。以上は連接部の構造の一種を概念的に開示するものであって、本考案は前述の構造に限らず、他の容易に思い付き得る配列方法も含む。
【００３７】
前述のことに基いて、本考案の電気接続装置における第一圧し折り端子と第二圧し折り端子はインサート成形によりメイン台座に成形し、かつ自由端子はサブ台座に固接されて、製造工程としてはより簡単な工程及びより低いコストの利点を有する。なお、本考案の電気接続装置の第一圧し折り端子、第二圧し折り端子及び自由端子はそれぞれ異なる平面に位置されることにより、互いに信号干渉を減少することができる。
【００３８】
なお、以上は本考案の一実施形態の説明に過ぎず、本考案の請求範囲を限定するものではなく、本考案の明細書及び図面の内容に基づきなし得る簡易な修飾及び同じ効果を達成できる構造変化は、いずれも本考案の実用新案登録の請求の範囲内に属する。
【符号の説明】
【００３９】
１０・・・絶縁基板、
１１・・・第一表面、
１２・・・第二表面、
１３・・・第一型の設置スロット、
１４・・・第二型の設置スロット、
１５・・・第一凹部、
１６・・・第二凹部、
２０・・・第一型の端子セット、
２１・・・第一装着ピン、
２２・・・突起、
３２・・・第一絶縁ブロック、
３３・・・案内スロット、
３４・・・第一組込スロット、
３５・・・第一固定スロット、
４０・・・第二絶縁ブロック、
４１・・・第二組込スロット、
４２・・・第二固定スロット、
５０・・・第三型の端子セット、
５１・・・第三絶縁ブロック、
５２・・・第三組込スロット、
５３ａ・・・第一フック、
５３ｂ・・・第二フック、
６０・・・マルチ連接モジュール、
６０ａ・・・第一連接ユニット、
６０ｃ・・・第三連接ユニット、
７０・・・金属ハウシング、
７１・・・第一壁、
７２・・・第二壁、
Ａ・・・軸方向、
Ｓ１・・・第一空間、
Ｓ２・・・第二空間、
８０・・・記憶媒体、
１００、２００・・・電気接続装置、
１１０・・・シールド部材、
１１２・・・中空室、
１１４、２１４・・・開口部、
１１６・・・第一係止ユニット、
１２０、２２０・・・メイン台座、
１２０ａ・・・上表面、
１２２、２２２・・・中心台部、
１２２ａ・・・貫通スロット、
１２２ｂ・・・底面、
１２２ｃ・・・凹み部、
１２４・・・舌部、
１２４ａ・・・下表面、
１２４ｂ・・・貫通孔、
１２４ｃ・・・第二係止ユニット、
１２６・・・溝、
１３０、２３０・・・第一圧し折り端子、
１３２・・・第一接触部、
１３４、２３４・・・第一連接部、
１３６、２３６・・・第一中間部、
１４０、２４０・・・第二圧し折り端子、
１４２・・・第二接触部、
１４４、２４４・・・第二連接部、
１４６、２４６・・・第二中間部、
１５０、２５０・・・サブ台座、
１６０、２６０・・・自由端子、
１６２・・・第三接触部、
１６４・・・第三連接部、
１６６・・・第三中間部、
１７０・・・回路基板、
２２８・・・係止部、
２８０・・・連接板。
【図１】
0003198025.tif 000003
【図２】
0003198025.tif 000004
【図３】
0003198025.tif 000005
【図４】
0003198025.tif 000006
【図５】
0003198025.tif 000007
【図６】
0003198025.tif 000008
【図７】
0003198025.tif 000009
【図８】
0003198025.tif 000010
【図９】
0003198025.tif 000011
【図１０】
0003198025.tif 000012
【図１１】
0003198025.tif 000013
【図１２】
0003198025.tif 000014
【図１３】
0003198025.tif 000015
【図１４】
0003198025.tif 000016
【図１５】
0003198025.tif 000017
【図１６】
0003198025.tif 000018
【図１７】
0003198025.tif 000019
【図１８】
0003198025.tif 000020